(57)【要約】【課題】固定した通信回線を利用して、送信時に直接送信先の高速通信可能なアドレスを入手し、多量の画像データを直接送信先に転送する。【解決手段】本発明の映像送受信システムでは、映像送受信機器１は、高速通信が可能なネットワークへの接続を行う第一の接続手段３と、画像を転送する相手機器との間で、常時互いに認識可能な第二の接続手段４と、第二の接続手段で画像を転送する相手機器を互いに認識するための情報を記憶する送受信先アドレス登録部６と、第一の接続手段を介して画像を送受信する際の認証キーを発行するアクセス用キーコード発行部７と、画像を記憶する画像蓄積部５と、画像の入出力をする画像入出力部８と、送信時に選択した画像送信先を含む送信に必要な情報、受信時に画像送信元及び送受信用のキーコードを含む情報を保存する送受信用テーブル１１と、制御を行う制御部２１とを備えた。【選択図】図２
2007143059.tif 000002
【特許請求の範囲】
【請求項１】
ネットワークに接続される任意の映像送受信機器間において上記ネットワークを介して画像の転送を行う映像送受信システムであって、
上記映像送受信機器は、
画像の転送を行うための高速通信が可能な上記ネットワークへの接続を行う第一の接続手段と、
画像を転送する相手機器との間で、上記第一の接続手段により互いに接続する際の情報の送受信を行うために、常時互いに認識可能な第二の接続手段と、
上記第二の接続手段で画像を転送する相手機器を互いに認識するための情報を記憶する送受信先記憶手段と、
上記第一の接続手段を介して画像を送受信する際の認証キーを発行するアクセス用キーコード発行手段と、
送信用の画像及び受信用の画像を記憶する画像蓄積手段と、
上記画像蓄積手段への画像の取り込み又は外部に画像を出力する画像入出力手段と、
送信時に選択した画像送信先を含む送信に必要な情報、受信時に画像送信元及び送受信用のキーコードを含む情報を保存する送受信用情報記憶手段と、
上記第一の接続手段、上記第二の接続手段、上記送受信先記憶手段、上記アクセス用キーコード発行手段、上記画像蓄積手段、上記画像入出力手段及び上記送受信用情報記憶手段の制御を行う制御部と
を備えたことを特徴とする映像送受信システム。
【請求項２】
上記画像送信先の上記制御部は、上記画像送信先の上記画像蓄積手段の記憶容量を基にして受信可能又は不可能を判断することを特徴とした請求項１に記載の映像送受信システム。
【請求項３】
上記画像送信元の上記制御部は、予め定められた送信指定時間を基にして送信可能又は不可能を判断することを特徴とした請求項１に記載の映像送受信システム。
【請求項４】
上記画像送信元及び／又は上記画像送信先の上記第二の接続手段は、本体機器外に設けられる携帯端末であることを特徴とした請求項１に記載の映像送受信システム。
【請求項５】
ネットワークに接続される映像送受信機器間において上記ネットワークを介して画像の転送を行う映像送受信機器であって、
画像の転送を行うための高速通信が可能な上記ネットワークへの接続を行う第一の接続手段と、
画像を転送する相手機器との間で、上記第一の接続手段により互いに接続する際の情報の送受信を行うために、常時互いに認識可能な第二の接続手段と、
上記第二の接続手段で画像を転送する相手機器を互いに認識するための情報を記憶する送受信先記憶手段と、
上記第一の接続手段を介して画像を送受信する際の認証キーを発行するアクセス用キーコード発行手段と、
送信用の画像及び受信用の画像を記憶する画像蓄積手段と、
上記画像蓄積手段への画像の取り込み又は外部に画像を出力する画像入出力手段と、
送信時に選択した画像送信先を含む送信に必要な情報、受信時に画像送信元及び送受信用のキーコードを含む情報を保存する送受信用情報記憶手段と、
上記第一の接続手段、上記第二の接続手段、上記送受信先記憶手段、上記アクセス用キーコード発行手段、上記画像蓄積手段、上記画像入出力手段及び上記送受信用情報記憶手段の制御を行う制御部と
を備えたことを特徴とした映像送受信機器。
【請求項６】
上記画像送信先の上記制御部は、上記画像送信先の上記画像蓄積手段の記憶容量を基にして受信可能又は不可能を判断することを特徴とした請求項５に記載の映像送受信機器。
【請求項７】
上記画像送信元の上記制御部は、予め定められた送信指定時間を基にして送信可能又は不可能を判断することを特徴とした請求項５に記載の映像送受信機器。
【請求項８】
上記画像送信元及び／又は上記画像送信先の上記第二の接続手段は、本体機器外に設けられる携帯端末であることを特徴とした請求項５に記載の映像送受信機器。
【請求項９】
ネットワークに接続される映像送受信機器間において上記ネットワークを介して画像の転送を行う映像送受信方法であって、
送信用の画像及び受信用の画像を記憶するステップと、
上記画像の取り込み又は外部に画像を出力するステップと、
画像を転送する相手機器を互いに認識するための情報を記憶する送受信先記憶手段と、
上記画像の送受信を行う際に必要な情報を取得するために、上記画像を転送する相手機器との間で、常時互いに認識可能に接続するステップと、
上記取得された上記画像の送受信を行う際に必要な情報に基づいて、上記画像を転送する相手機器に対して上記画像の転送を行うための高速通信が可能な上記ネットワークへの接続を行うステップと、
上記画像を送受信する際の認証キーを発行するステップと、
送信時に選択した画像送信先を含む送信に必要な情報、受信時に画像送信元及び送受信用のキーコードを含む情報を保存するステップと、
を含むことを特徴とした映像送受信方法。
【請求項１０】
上記画像送信先は、上記画像送信先の上記画像の記憶容量を基にして受信可能又は不可能を判断することを特徴とした請求項９に記載の映像送受信方法。
【請求項１１】
上記画像送信元は、予め定められた送信指定時間を基にして送信可能又は不可能を判断することを特徴とした請求項９に記載の映像送受信方法。
【請求項１２】
上記画像送信元及び／又は上記画像送信先の上記画像の送受信を行う際に必要な情報の取得のための接続は、携帯端末により行われることを特徴とした請求項９に記載の映像送受信方法。
【発明の詳細な説明】
【技術分野】
【０００１】
本発明は、ネットワークに接続される映像送受信機器間においてネットワークを介して画像の転送を行う映像送受信システム、映像送受信機器及び映像送受信方法に関する。
【背景技術】
【０００２】
近年、インターネットの普及、及びブロードバンド化に伴い、各家庭でもインターネット経由でさまざまなコンテンツを家に居ながらにして入手できるようになってきた。また、家庭で専用チューナーを装備することにより、ＣＳ（communication satellite）等の衛星放送を介して、さまざまな放送方式のソースを高画質な映像で視聴することも簡単に実現可能となってきている。
【０００３】
一方、個人で撮影された画像の場合は、各家庭には、デジタルビデオカメラ、ＤＶＤ（digital versatile disc）ビデオカメラ、さらに最近ではハードディスクを用いたビデオカメラにより撮影された画像を、高画質で気軽に観賞することができる環境になってきている。また、家庭での視聴環境も、大型テレビに画像を録画したハードディスクレコーダー、ＤＶＤレコーダー等を接続して、気軽にそれらを再生できる環境が整ってきている。
【０００４】
しかし、上述したビデオカメラを用いて個人で撮った画像を各自で観賞する際にはあまり問題がないが、他人にこの画像を見せる場合は、画像をビデオテープ又はＤＶＤなどの記録媒体にダビングして渡さなければならなかった。特に、記録媒体を渡したい送信相手の映像送受信機器が複数ある場合には、何回もダビングしたり、何本ものＤＶＤやビデオテープなどの記録媒体を用意しなければならなかった。まして、遠く離れた知人に送る場合など、ダビングした記録媒体を郵送する必要があるため、時間、手間及びコストもかかって、画像を見せたいときにすぐに、手軽に見せることができなかった。
【０００５】
上述したように、最近のインターネットの普及に伴い、各家庭のブロードバンド化が進んでいる。これを利用して、ファイルを転送すれば、遠く離れた場所に居る複数の送信相手の映像送受信機器とも、手軽に画像を共有することが可能である。
現状では、画像ファイルを転送しようとした場合は、手軽な方法として、携帯電話やパーソナルコンピュータなどを用いて電子メールに画像を添付して送る方法がある。
【０００６】
また、直接、画像データを送りたい送信相手の映像送受信機器にインターネット経由で画像データファイルを転送できれば簡単にファイルを送ることができる。ただ、その場合、現状のＡＤＳＬ（Asymmetric Digital Subscriber Line）、光通信等の各社プロバイダーより提供されている家庭向けのインターネット接続サービスでは、各端末を特定するためのＩＰ（Internet Protocol）アドレスは、固定されたものではなく接続するたびに変動するという問題があった。このため、送信時に、送信相手の映像送受信機器のＩＰアドレスを確認して、そのアドレスに対して送信をおこなわなければならなかった。
【０００７】
送信相手の映像送受信機器のＩＰアドレスを、送信相手の映像送受信機器に、送信の度に確認して、配信先アドレスを設定して行うことは非常に手間がかかり、また一般のユーザーにとっては、自映像送受信機器のＩＰアドレスを調べることは結構困難である。上記のように変動するＩＰを知る方法として、サーバーと契約し、画像配信時に、サーバーにアクセスして、アクセスキーを発行してもらい、アクセスキーを受信者に通知する。実際にデータを配信するときは、受信者がアクセスキーを使用してサーバーにアクセスして、サーバーより配信者のＩＰアドレスを入手し、配信者のＩＰアドレスにより、直接配信者に配信要求をするという技術が提案されている（特許文献１参照）。
【０００８】
また、特定の送信相手の映像送受信機器に対して画像を配信する方法に関して、携帯電話を介して音声の通信回線を接続するとともに、インターネットを介して送信相手の映像送受信機器のターミナルアダプタのＩＰアドレスにアクセスして、画像データを通信する技術が提案されている（特許文献２参照）。
【特許文献１】特開2003-153241号公報
【特許文献２】特開平11-234642号公報
【発明の開示】
【発明が解決しようとする課題】
【０００９】
しかし、上述した電子メールに画像を添付して送る方法では、サイズの大きな動画データなどは送ることはできない。サイズの大きな動画データのような画像を無理に電子メールに添付して送る場合には、画質の劣化を覚悟した上で、画像を圧縮して送るなどの方法を用いなければならない。このように画像を圧縮した場合でも、例えば映画等の長時間の画像を転送することは困難であった。
【００１０】
また、ＩＰアドレスに直接アクセスする方法では、画像を転送するという目的は達成できるが、まず、アクセスキーを発行してくれるサーバーが必要になること、さらに、受信者側で、受信のたびに、サーバーにアクセスしに行かないと行けないなどの処理が複雑である。
【００１１】
また、固定したＩＰアドレスをもつサーバー等があれば、そこにデータを保存しておいて受信者はサーバーから各自データを読み出すという方法もあるが、この方法も、サーバーが必要になるため、コスト的に割高になる。また、サーバーの能力によっては、契約クライアントによるアクセスが集中するなどの不具合が生じる。
【００１２】
また、携帯電話を介して音声を通信し、インターネットを介して送信相手の映像送受信機器のターミナルアダプタのＩＰアドレスにアクセスして画像データを通信する方法では、テレビ電話の機能のみであるため、多数のユーザーに画像を配信することができなかった。
【００１３】
そこで、本発明の目的は、固定した通信回線を利用して、送信時に直接送信先の高速通信可能なアドレスを入手し、多量の画像データを直接送信先に転送することで、サーバーも必要とせず、現存の通信回線を利用して安価で簡単に、高画質の画像を送受信することができる映像送受信システム、映像送受信機器及び映像送受信方法を提供するものである。
【課題を解決するための手段】
【００１４】
上記課題を解決し、本発明の目的を達成するため、本発明の映像送受信システムでは、映像送受信機器は、画像の転送を行うための高速通信が可能なネットワークへの接続を行う第一の接続手段と、画像を転送する相手機器との間で、第一の接続手段により互いに接続する際の情報の送受信を行うために、常時互いに認識可能な第二の接続手段と、第二の接続手段で画像を転送する相手機器を互いに認識するための情報を記憶する送受信先記憶手段と、第一の接続手段を介して画像を送受信する際の認証キーを発行するアクセス用キーコード発行手段と、送信用の画像及び受信用の画像を記憶する画像蓄積手段と、画像蓄積手段への画像の取り込み又は外部に画像を出力する画像入出力手段と、送信時に選択した画像送信先を含む送信に必要な情報、受信時に画像送信元及び送受信用のキーコードを含む情報を保存する送受信用情報記憶手段と、第一の接続手段、第二の接続手段、送受信先記憶手段、アクセス用キーコード発行手段、画像蓄積手段、画像入出力手段及び送受信用情報記憶手段の制御を行う制御部とを備えたものである。
【００１５】
これにより、安定したアドレスをもち、送信側と受信側でお互いにその固定アドレスを登録しておくことで認識可能な第二の接続手段による通信回線を利用して、第一の接続手段による画像データの送信時に必要な送信先の高速通信可能なアドレスを直接入手することにより、第一の接続手段により多量の画像データを直接送信先に転送することができ、また、送受信用のキーコードを用いることにより画像データの保護を図ることができる。
【００１６】
また、送信側と受信側で第二の接続手段により直接アドレスの認識を行って、画像データの送信時に必要な送信先の高速通信可能なアドレスを入手するための通信を行うことで、サーバー等の特別な設備を用いなくても高画質なままの画像データを、第一の接続手段により直接、受信側に配信することができる。
【００１７】
また、第二の接続手段により使用する固定回線は既に普及しているものを流用することができるので、特別な設備投資等の必要もなく、上記画像送受信システムの構築が可能であり、送受信用情報記憶手段による情報の設定自体も簡素化することができる。また、第二の接続手段による固定アドレス通信として携帯電話などを用いることにより、外出先でも、高速なインターネット回線さえあれば、同様のデータ送受信を簡単に実現することができる。
【００１８】
また、本発明の映像送受信方法は、送信用の画像及び受信用の画像を記憶するステップと、画像の取り込み又は外部に画像を出力するステップと、画像を転送する相手機器を互いに認識するための情報を記憶する送受信先記憶手段と、画像の送受信を行う際に必要な情報を取得するために、画像を転送する相手機器との間で、常時互いに認識可能に接続するステップと、取得された画像の送受信を行う際に必要な情報に基づいて、画像を転送する相手機器に対して画像の転送を行うための高速通信が可能なネットワークへの接続を行うステップと、画像を送受信する際の認証キーを発行するステップと、送信時に選択した画像送信先を含む送信に必要な情報、受信時に画像送信元及び送受信用のキーコードを含む情報を保存するステップとを含むものである。
【００１９】
これにより、安定したアドレスをもち、送信側と受信側でお互いにその固定アドレスを登録しておくことで認識可能な通信回線の接続を利用して、画像データの送信時に必要な送信先の高速通信可能な接続を行うためのアドレスを直接入手することにより、高速通信が可能なネットワークへの接続により多量の画像データを直接送信先に転送することができ、また、送受信用のキーコードを用いることにより画像データの保護を図ることができる。
【００２０】
また、送信側と受信側で直接アドレスの認識をするための接続を行って、画像データの送信時に必要な送信先の高速通信可能なアドレスを入手するための通信を行うことで、サーバー等の特別な設備を用いなくても高画質なままの画像データを、高速通信が可能なネットワークへの接続により直接、受信側に配信することができる。
【００２１】
また、送信側と受信側で直接アドレスの認識をするための接続に使用する固定回線は既に普及しているものを流用することができるので、特別な処理等の必要もなく、実施が可能であり、送受信用情報の設定処理も簡素化することができる。また、送信側と受信側で直接アドレスの認識をするための接続による固定アドレス通信として携帯電話などを用いることにより、外出先でも、高速なインターネット回線により、同様のデータ送受信を簡単に実現することができる。
【発明の効果】
【００２２】
本発明によれば、固定した通信回線を利用して、送信時に直接送信先の高速通信可能なアドレスを入手し、多量の画像データを直接送信先に転送することで、サーバーも必要とせず、現存の通信回線を利用して安価で簡単に、高画質の画像を送受信することができるという効果を奏する。
【発明を実施するための最良の形態】
【００２３】
以下、本発明の実施の形態について、適宜、図面を参照しながら説明する。
図１は、本実施の形態による映像送受信システムの構成を示す図である。
図１に示すようにインターネット１１上に、画像を送受信することができる映像送受信機器１Ａ、１Ｂが接続されている。
【００２４】
具体的には、図１において、この映像送受信システムでは、まず映像送受信機器１Ａと、映像送受信機器１Ｂがインターネット接続業者であるプロバイダーを介して第一の接続手段３Ａ、３Ｂによりインターネット回線１１にお互いに変動するアドレスにて接続されている。
【００２５】
この映像送受信機器１Ａと映像送受信機器１Ｂは同様の構造になっているが、この例では、映像送受信機器１Ａを送信側、映像送受信機器１Ｂを受信側として説明する。この映像送受信機器１Ａ、映像送受信機器１Ｂには、それぞれ、送信画像データ及び受信画像データを蓄えておくための画像蓄積部５Ａ、５Ｂが設けられている。
【００２６】
また、この映像送受信機器１Ａ、映像送受信機器１Ｂには、それぞれ送受信先を登録しておくための送受信先アドレス登録部６Ａ、６Ｂ、画像データを送信又は受信するときに使用するアクセス用のキーコードを発行するアクセス用キーコード発行部７Ａ、７Ｂが設けられている。
【００２７】
また、この映像送受信機器１Ａ、映像送受信機器１Ｂには、それぞれ、第一の接続手段３Ａ、３Ｂにより互いに接続する際の情報の送受信を行うために、常時互いに認識可能な通信回線に接続可能である第二の接続手段４Ａ、４Ｂを備えている。
【００２８】
これにより、例えば、通信能力は低いが安定したアドレスをもち、送信側の映像送受信機器１Ａと受信側の映像送受信機器１Ｂでお互いにその固定アドレスを登録しておくことで認識可能な第二の接続手段４Ａ、４Ｂによる通信回線を利用して、第一の接続手段３Ａ、３Ｂによる画像データの送信時に必要な送信先の高速通信可能なアドレスを直接入手する。
【００２９】
これにより、第一の接続手段３Ａ、３Ｂにより映像送受信機器１Ａは、映像送受信機器１Ｂとの間でインターネット１１を介して多量の画像データを直接送信先に転送することができ、また、送受信用のキーコードを用いることにより画像データの保護を図ることができる。
【００３０】
図２は本実施の形態の映像送受信機器の構成を示すブロック図である。
図２において、この映像送受信機器１は、送信用の画像データ及び、受信した画像データ（ａ）、（ｂ）、（ｃ）、（ｄ）、・・・を蓄積しておくための画像蓄積部５と、画像蓄積部５へ送信する画像データ（ａ）、（ｂ）、（ｃ）、（ｄ）、・・・を取り込むようにするとともに、受信した画像データ（ａ）、（ｂ）、（ｃ）、（ｄ）、・・・を外部へ出力するための画像入出力部８と、画像を送受信するためにインターネット接続業者であるプロバイダーを介してインターネット回線へ接続するための第一の接続手段３を備えていて、この第一の接続手段３を介して、図１に示したインターネット回線１１へ接続している。
【００３１】
また、この映像送受信機器１は画像送信時に送信する画像データと送信相手の映像送受信機器を選択的に決定するための入力キー９と、入力キー９により送受信先A、B、C、D、・・・の電話番号を登録しておく送受信先アドレス登録部６及び電話番号の登録状態や画像を表示する表示部１０とを備えている。
【００３２】
また、この映像送受信機器１は、送信側の送信データ名、送信相手先、送信相手に発行した受信用キーコード、送信相手より送られた送信先アドレス、送信用キーコード等を蓄えておくと共に、受信側の場合は、送信元、送信元アドレス、送信元より送られてきた受信用キーコード、送信元に発行した送信用キーコードを蓄えておくための送受信用テーブル１１と、送信先に受信用キーコードを発行すると共に、受信側の場合には送信元に送信用キーコードを発行するアクセス用キーコード発行部７とが設けられている。
【００３３】
また、この映像送受信機器１は、第一の接続手段３により互いに接続する際の情報の送受信を行うために、常時互いに認識可能な通信回線に接続可能である第二の接続手段４と、各部のコントロールを行う制御部（ＣＰＵ（Central Processing Unit））２１と、を備えている。
【００３４】
従って、送信側と受信側で第二の接続手段４により直接アドレスの認識を行って、画像データの送信時に必要な送信先の高速通信可能なアドレスを入手するための通信を行うことで、サーバー等の特別な設備を用いなくても高画質なままの画像データを、第一の接続手段３により直接、受信側に配信することができる。
【００３５】
また、第二の接続手段４により使用する固定回線は既に普及しているものを流用することができるので、特別な設備投資等の必要もなく、実施が可能であり、送受信先アドレス登録部６による送受信先A、B、C、D、・・・の電話番号の登録も簡素化することができる。
【００３６】
このように構成された映像送受信機器の動作を以下に説明する。
図３は、画像データの送受信の手順を示すフローチャートである。図３を用いて、実際に画像を送受信する際の手順を説明する。
【００３７】
まず画像データを送るためにお互いを認識するための準備を行う。
図３において、発信者Ａの映像送受信機器は、受信者Ｂの映像送受信機器を登録する（ステップＳ３０Ａ）。受信者Ｂの映像送受信機器は、発信者Ａの映像送受信機器を登録する（ステップＳ３０Ｂ）。
【００３８】
具体的には、送受信を行う相手について、図２に示した送受信先アドレス登録部６へ入力キー９により送受信先A、Bの電話番号を登録する。送受信先アドレス登録部６の登録方法は、電話機に電話番号を登録するのと同様でいたって簡単である。お互いに登録された状態は、図４Ａ、４Ｂのようになる。
【００３９】
図４は、送受信を行う相手機器の登録状態を示す図であり、図４Ａは送受信先アドレス登録部６Ａの登録状態、図４Ｂは送受信先アドレス登録部６Ｂの登録状態である。図４Ａにおいて送受信先アドレス登録部６Ａは、映像送受信機器４１Ａの送受信先登録エリア４２Ａに送受信相手（機器）４３Ａとして例えば相手（機器）Ｂ、相手（機器）Ｃ、相手（機器）Ｄ、相手（機器）Ｅ、相手（機器）Ｄに対する電話番号４４Ａとして例えば番号Ｂ、番号Ｃ、番号Ｄ、番号Ｅ、番号Ｄを登録する。
【００４０】
また、図４Ｂにおいて送受信先アドレス登録部６Ｂは、映像送受信機器４１Ｂの送受信先登録エリア４２Ｂに送受信相手（機器）４３Ｂとして例えば相手（機器）Ａ、相手（機器）１、相手（機器）２、相手（機器）３、相手（機器）４に対する電話番号４４Ｂとして例えば番号Ａ、番号１、番号２、番号３、番号４を登録する。
【００４１】
次に、送信側の発信者Ａの映像送受信機器は、送信データを選択し、送信先を選択する（ステップＳ３１）。具体的には、画像を受信側の受信者Ｂの映像送受信機器に送る場合、まず、発信者Ａの映像送受信機器は、図２に示す画像蓄積部５から送信すべき画像データ（ａ）を選択し、送信先に受信者Ｂの映像送受信機器を選択し、これらを図２に示す送受信用テーブル１１Ａに設定する。
【００４２】
そして、送信側の発信者Ａの映像送受信機器は、送信先に送信する旨と送信ファイルサイズを通知する（ステップＳ３２）。具体的には、発信者Ａの映像送受信機器は、その送信ファイルサイズと、ファイルを送信する旨を第二の接続手段３１である電話回線を通じて、受信者Ｂの映像送受信機器に連絡する。
【００４３】
そこで、受信者Ｂの映像送受信機器は、受信可能であるか否かを判断する（ステップＳ３３）。具体的には、受信者Ｂの映像送受信機器は、送信者Ａの映像送受信機器が図１に示す送受信先アドレス登録部Ｂ６の送受信先登録エリアに登録されていることを確認する。送信者Ａの映像送受信機器が送受信先アドレス登録部Ｂ６の送受信先登録エリアに登録されていることが確認されたら、受信者Ｂの映像送受信機器は、送信者Ａの映像送受信機器からのファイル送信を受けるかどうかを判断する。
【００４４】
この際、ステップＳ３３の判断で受信可能でないとき、例えば、受信者Ｂの映像送受信機器は、別の処理（他の機器との通信、データの記録等）を行っている場合は、送信者Ａの映像送受信機器に第二の接続手段３１である電話回線を通じてその旨を通知し、後ほど再送信するよう要求する。また、送信者Ａの映像送受信機器より受けた送信ファイルサイズに対して受信者Ｂの映像送受信機器の画像蓄積部５の受信すべきデータの記憶領域が足りない場合は受信すべきデータの記憶領域が確保できた後に送信の依頼をする旨を送信者Ａの映像送受信機器に第二の接続手段３１である電話回線を通じて通知する（ステップＳ３４）。
【００４５】
一方、ステップＳ３３の判断で受信可能な場合は、受信する旨と送信先アドレス、送信用キーコードを送信元である送信者Ａの映像送受信機器に通知する（ステップＳ３５）。具体的には、受信者Ｂの映像送受信機器は、第一の接続手段３２に接続される現在の送信先アドレスとともに、送信者Ａの映像送受信機器に対して送信者を特定するための送信用キーコードを図１に示したアクセス用キーコード発行部７Ｂにて発行し、送信を許可する旨を第二の接続手段３１である電話回線を通じて通知し、同時に、送信用キーコードを図２に示す送受信用テーブル１１Ｂに設定する。
【００４６】
これに対して、送信者Ａの映像送受信機器は、送信元アドレス、受信用キーコードを通知する（ステップＳ３６）。具体的には、送信者Ａの映像送受信機器は、受信者Ｂの映像送受信機器より、第一の接続手段３２で接続するための送信先アドレスと送信用キーコードを受け取り、受け取った送信先アドレスと送信用キーコードを図２に示す送受信用テーブル１１Ａに設定する。
【００４７】
そして、送信者Ａの映像送受信機器は、受信者Ｂの映像送受信機器に対して、発信者Ａの映像送受信機器の第一の接続手段３２の現在（送信時）の送信元アドレスを第二の接続手段３１である電話回線を通じて通知すると共に、受信用キーコードをアクセス用キーコード発行部７Ａにて発行し、発行した受信用キーコードを受信者Ｂへ通知する。同時に、送信者Ａの映像送受信機器は、発行した受信用キーコードを図２に示す送受信用テーブル１１Ａに設定する。
これにより、受信者Ｂの映像送受信機器は、送信者Ａの映像送受信機器より通知された、送信元アドレスと受信用のキーコードを図２に示す送受信用テーブル１１Ｂへ設定する。
【００４８】
次に、送信者Ａの映像送受信機器は、送信先アドレスに対して受信用キーコードを要求する（ステップＳ３７）。具体的には、送信者Ａの映像送受信機器は、受信者Ｂの映像送受信機器より通知された、第一の接続手段３２であるインターネットを通じて送信先アドレスに対して受信用キーコードを要求する。
【００４９】
これに対して、受信者Ｂの映像送受信機器は、送信元アドレスが一致するか否かを判断する（ステップＳ３８）。具体的には、受信者Ｂの映像送受信機器は、送信者Ａの映像送受信機器の第一の接続手段３２のアドレスが、第二の接続手段３１にて通知された送信元アドレス、つまり図２に示す送受信用テーブル１１Ｂに設定したものと一致するか否かを確認する。
【００５０】
ステップＳ３８の判断で、送信元アドレスが一致した場合は、受信用のキーコードを送信先に通知する（ステップＳ３９）。具体的には、受信者Ｂの映像送受信機器は、図２に示す送受信用テーブル１１Ｂに設定しておいた受信用キーコードを送信元である送信者Ａの映像送受信機器に第一の接続手段３２であるインターネットを通じて通知する。
【００５１】
これに対して、送信者Ａの映像送受信機器は、受信用キーコードが一致するか否かを判断する（ステップＳ４０）。具体的には、送信元である送信者Ａの映像送受信機器は、受信者Ｂの映像送受信機器より通知された受信用キーコードが、図２に示す送受信テーブル１１Ａに設定しておいた受信用キーコードと一致することを確認する。
【００５２】
ステップＳ４０の判断で受信用キーコードが一致した場合は、送信者Ａの映像送受信機器は、画像データを送信用のキーコードと共に送信する（ステップＳ４１）。具体的には、送信元である送信者Ａの映像送受信機器は、第一の接続手段３２であるインターネットを通じて受信者Ｂの映像送受信機器に画像データを送信用のキーコードと共に送信する。
【００５３】
これに対して、受信者Ｂの映像送受信機器は、送信用キーコードが一致するか否かを判断する（ステップＳ４２）。具体的には、受信者Ｂの映像送受信機器は、送信者Ａの映像送受信機器から送られてきた送信用キーコードが図２に示す送受信用テーブル１１Bに設定しておいた受信者Ｂの映像送受信機器が発行した送信用キーコードと同じことを確認する。
【００５４】
ステップＳ４２の判断で送信用キーコードが一致したら、受信者Ｂの映像送受信機器は、受信処理を行う（ステップＳ４３）。具体的には、受信者Ｂの映像送受信機器は、送信者Ａの映像送受信機器から送信されてきたデータを受信する。
【００５５】
なお、ステップＳ３８の判断で、送信元アドレスが一致しない場合、ステップＳ４２の判断で送信用キーコードが一致しない場合は、受信者Ｂの映像送受信機器は、受信拒絶を行う（ステップＳ４４Ｂ）。
また、ステップＳ４０の判断で受信用キーコードが一致しない場合は、送信者Ａの映像送受信機器は、送信拒絶を行う（ステップＳ４４Ａ）。
【００５６】
上述した図２に示す送受信用テーブル１１Ａ、１１Ｂは図５Ａ、図５Ｂに示すように設定される。図５は、送受信用テーブルの設定状態を示す図であり、図５Ａは送受信用テーブル１１Ａ、図５Ｂは送受信用テーブル１１Ｂである。図５Ａに示す送受信用テーブル１１Ａにおいて、送信先５１Ａは送信先Ｂ、送信／受信画像５２Ａは画像データ（ａ）、送信先アドレス５３Ａは１１Ｂ、送信元５４Ａは空欄、送信用キーコード５５Ａはａ１、送信元アドレス５６Ａは空欄、受信用キーコード５７Ａはｂ１にそれぞれ設定される。
【００５７】
また、図５Ｂに示す送受信用テーブル１１Ｂにおいて、送信先５１Ｂは空欄、送信／受信画像５２Ｂは画像データ（ａ）、送信先アドレス５３Ｂは空欄、送信元５４Ｂは送信元５４Ａ、送信用キーコード５５Ｂはａ１、送信元アドレス５６Ｂは１１Ａ、受信用キーコード５７Ｂはｂ１にそれぞれ設定される。
【００５８】
以下に、他の実施の形態について説明する。
図６は、他の映像送受信システムの概略構成図である。図１と対応するものには同一の符号を付してある。
【００５９】
図６に示すように、第二の接続手段は映像送受信機器１Ａに固定して設ける必要はなく、映像送受信機器１Ａの本体には第二の接続手段コントロール部４Ａ’のみを設けるようにして、第二の接続手段４Ａ”は映像送受信機器１Ａの本体外に移動可能とするようにしてもよい。具体的には、携帯電話などの携帯端末を映像送受信機器１Ａの本体に外部から接続することで第二の接続手段４Ａ”としてもよい。
【００６０】
この場合は、携帯電話などの第二の接続手段４Ａ”の番号を映像送受信機器１Ａの番号として動作するように、受信（相手）側の映像送受信機器１Ｂはこの携帯電話などの第二の接続手段４Ａ”の番号を図１に示す送受信先アドレス登録部６Bの送受信先登録エリアに登録しておくことで、上述した先の実施の形態と同様のデータ転送を行うことができる。
【００６１】
もちろん、映像送受信機器１Ａ及び映像送受信機器１Ｂの双方の第二の接続手段が携帯端末（携帯電話）、受信側の映像送受信機器１Ｂのみが携帯端末（携帯電話）でもその効果は変わりない。これによれば、例えば、最近のホテルに既にひかれている高速なインターネット回線を利用することにより、外出先のホテルなどから簡単に高画質のデータを自宅ないし知人へ配信することが可能である。
【００６２】
図７は、他の映像送受信システムの概略構成図である。図１と対応するものには同一の符号を付してある。
図７に示すように、画像データは、映像送受信機器１Ａ本体内部の画像蓄積部５に保存しなくても良い。映像送受信機器１Ａの画像入出力部８に通信用ケーブル７２（ＩＥＥＥ（Institute of Electrical and Electronic Engineers）１３９４やＵＳＢ（Universal Serial Bus））などで接続された、ビデオカメラ７１（ＤＶＤビデオカメラやハードディスクビデオカメラ）により撮影される画像データ又は記録媒体に記録されている画像データでもよい。
【００６３】
画像データの送受信処理は、上述した先の実施の形態と同様であるが、異なる点は、送信用のファイルの選択時に、上記ビデオカメラ８３（ＤＶＤビデオカメラやハードディスクビデオカメラ）により撮影される画像データ又は記録媒体内の画像データファイルを指定する点のみである。
【００６４】
図８は、他の映像送受信システムの概略構成図である。図１と対応するものには同一の符号を付してある。
図８に示すように、映像送受信機器１Ａ自体が撮像部８１を持つビデオカメラ本体であって、撮像部８１により撮像された画像データを直接用いても良い。
映像送受信機器１Ａは、撮像部８１によって取り込まれた画像を画像蓄積部５Ａに保存し、送信時は、その画像データファイルを指定して、又は撮像部８１により撮影される画像データを直接指定して、上述した先の実施の形態と同様に送信すればよい。
【００６５】
図９は、他の映像送受信システムを実現するための映像送受信機器の内部構成を示すブロック図である。図２と対応するものには同一の符号を付してある。
図９に示す他の映像送受信機器１は、図２で示した映像送受信機器１の構成に、タイマー９１を新たに付け加え、これにより送信時間の予約を予め行っておくことができるようにするものである。例えば、予めタイマー９１により送信時間の時間設定をしておけば通信量の比較的少ないと思われる夜間に自動で転送を行うこともできる。
【００６６】
また、図９に示す他の映像送受信機器１は、図２で示した映像送受信機器１の構成に、通信状況監視部９２をさらに付け加え、これにより通信の状況を監視することができるようにするものである。例えば、通信状況監視部９２を利用してあらかじめ通信量の少ない時間帯を検出しておけば、その時間帯に自動的にタイマー９１を設定することも可能であるし、受信者側で同様の検出を行っておけば、送信側に送信時間帯を指定して送信してもらうことも可能である。
【００６７】
図１０は、他の画像データの送受信の手順を示すフローチャートである。
図１０にて、図９に示した他の映像送受信機器１における他の画像データの送受信の手順を説明する。
図１０において、受信者Ｂの登録（ステップＳ３０Ａ）から、送信データ及び送信先の選択（ステップＳ３１）までは図３に示した画像データの送受信の手順と同様の手順である。
【００６８】
次に、図１０では、送信側の発信者Ａの映像送受信機器は、送信すべき時刻を、図９に示したタイマー９１に設定し（ステップＳ１０１）、送信待機状態に設定する（ステップＳ１０２）。そして、発信者Ａの映像送受信機器は、指定時刻になったか否かを判断し（ステップＳ１０３）、図９に示したタイマー９１が設定時刻になるまで待機状態になる。
【００６９】
ステップＳ１０３の判断で指定された時間になったら、発信者Ａの映像送受信機器は、送信先に第二の接続手段３１を介して送信する旨と送信ファイルサイズを通知する（ステップＳ３２）。以下図３に示した画像データの送受信の手順と同様の処理を行う。
【００７０】
また、図１０の送信データ及び送信先の選択（ステップＳ３１）、送信すべき時刻の設定（ステップＳ１０１）の各処理において、発信者Ａの映像送受信機器は、複数の相手を設定し、それぞれに送信時間の設定を行えば、図９に示したタイマー９１により設定された時刻に、順次複数の相手にデータ送信を行うことができる。
このように複数の設定を行った場合の図２に示した送受信用テーブル１１は図１１に示すようになる。
【００７１】
図１１は、複数の送信先設定時の送受信用テーブルの設定状態を示す図である。
図１１に示す送受信用テーブル１１において、送信先１０１が送信先Ｂのとき、送信／受信画像１０２は画像データ（ａ）、送信予定時間１０３はＡＭ０：１５、送信先アドレス１０４は１１Ｂ、送信元１０５は空欄、送信用キーコード１０６はａ１、送信元アドレス１０７は空欄、受信用キーコード１０８はｂ１に設定される。送信先１０１が送信先Ｃのとき、送信／受信画像１０２は画像データ（ｂ）、送信予定時間１０３はＡＭ２：００、送信先アドレス１０４は１１Ｃ、送信元１０５は空欄、送信用キーコード１０６はａ２、送信元アドレス１０７は空欄、受信用キーコード１０８はｂ２に設定される。
【００７２】
また、送信先１０１が送信先ｄのとき、送信／受信画像１０２は画像データ（ｃ）、送信予定時間１０３はＡＭ２：３０、送信先アドレス１０４は１１ｄ、送信元１０５は空欄、送信用キーコード１０６はａ３、送信元アドレス１０７は空欄、受信用キーコード１０８はｂ３に設定される。送信先１０１が送信先ｅのとき、送信／受信画像１０２は画像データ（ｅ）、送信予定時間１０３はＡＭ４：００、送信先アドレス１０４は１１ｅ、送信元１０５は空欄、送信用キーコード１０６はａ４、送信元アドレス１０７は空欄、受信用キーコード１０８はｂ４に設定される。
【００７３】
また、上述した先の実施の形態の図３の受信拒否（ステップＳ３４）の処理において、受信側の映像送受信機器が現在他の処理中のため受信できない状況にあるときに、受信側の映像送受信機器より、現在行っている処理が終了し、データの受信が可能になる時刻を通知されれば、送信側の映像送受信機器はその時刻に再度設定しなおして、その時刻に再度送信を行うこともできる。
【００７４】
図１２は、他の映像送受信システムを実現するための映像送受信機器の内部構成図である。図２及び図９と対応するものには同一の符号を付してある。
図１２に示す他の映像送受信機器１は、図９で示した映像送受信機器１の構成に、送信用データ作成／解凍部１２１を新たに付け加え、これにより送信用データ作成又は解凍を行なうことができるようにするものである。
【００７５】
例えば、送信側の映像送受信機器は、送信時に、送信用データ作成／解凍部１２１にて送信画像をある決まりに従って送信用のデータに加工する。加工時の決まりは、受信用キーコードにその情報を盛り込んでおく。受信側の映像送受信機器は、画像データを受け取ったら、予め受け取っていた、受信用キーコードを利用して、送信データ作成／解凍部１２１にて画像データを解凍し、視聴可能なデータに戻す。
【００７６】
図１３は、送信データ作成及び解凍を説明する図である。
図１３は送信用画像データ作成及び、受信用キーコード、画像データの解凍の簡単な一例を示すものである。送信用画像データ（ａ）１３１のデータよりアクセス用キーコード発行部７は受信用キーコード１３２を発行する。
【００７７】
このとき、受信用キーコード１３２には送信を特定するユニークなデータと、画像データを送信データに変換する際のルールを盛り込んでおく。ここでは、トータルのデータブロック数：Ｎとデータブロック１つに含まれるデータ数：３（任意）を盛り込んだ形で、受信用キーコード１３２を作成する。
【００７８】
ここで作成された受信用キーコード１３２と送信用画像データ（ａ）１３１より送信データ作成／解凍部１２１は、送信用画像データ（ａ）１３１を画像データ（ａ）送信用データ１３３に加工する。送信側の映像送受信機器から受信側の映像送受信機器への転送は、この画像データ（ａ）送信用データ１３３の形で行われる。
【００７９】
受信側の映像送受信機器の送信データ作成／解凍部１２１は、前もって受け取っていた受信用キーコード１３６を用いて、受信データから不要部分を削除し、データブロックNo部分と、必要なデータ数（ここでは３）の画像データ部分とに解凍する。そして、送信データ作成／解凍部１２１は、最終的に、受信画像データ（ａ）１３５を取り出す。
上述したように、送受信時に相手を確認するために使用する受信用キーコードに、データ解凍用のためのルールを記載した情報を盛り込んでおくことで、簡易的にデータの保護が可能となる。
【００８０】
さらに、上述した先の実施の形態の図３の受信拒否（ステップＳ３４）の処理の場合のように、受信側の映像送受信機器で受信領域が足りない場合でも、受信側の映像送受信機器は取り込めるだけのデータを受信しておき、受け取れなかったデータに関しては、不足分のデータブロックＮｏのみを受信領域を確保した後に、送信側の映像送受信機器に再送信の依頼をすれば、転送の効率も上がる。
【００８１】
また、上述とは別の理由で、受信側の映像送受信機器は例えばネットワーク上の障害等々で受信データに欠落が生じた場合においても、同様にして、受信側の映像送受信機器は不足分のデータのみを送信側の映像送受信機器に再送信してもらえば受信が完了する。
【００８２】
図１４は、他の画像データの送受信の手順を示すフローチャートである。
図１４にて、図１２に示した他の映像送受信機器１における他の画像データの送受信の手順を説明する。
送信側の映像送受信機器における図３に示した受信者Ｂの登録（ステップＳ３０Ａ）から送信元アドレス及び受信用のキーコードを通知（ステップＳ３６）までの処理では、図１４において、ステップＳ３６で示した、上述した図１３を用いて説明した受信用のキーコードを作成し受信者側へ第二の接続手段３１を介して通知する処理のみが異なり、それ以外の処理は図３で説明した各処理と同様である。
【００８３】
次に、送信側の映像送受信機器の図３に示した送信先アドレス及び受信用のキーコードを要求（ステップＳ３７）から画像データと送信用のキーコードを送信（ステップＳ４１）までの処理で示す実際の送受信時の流れについて説明する。
【００８４】
送信側の映像送受信機器の図３に示した送信先アドレス及び受信用のキーコードを要求（ステップＳ３７）から画像データと送信用のキーコードを送信（ステップＳ４１）までの処理では、図１４において、ステップＳ４１で示した、送信部分の詳細処理のみが異なり、それ以外の処理は図３で説明した各処理と同様である。また、受信側の映像送受信機器では、ステップＳ４３で示した、受信部分の詳細処理のみが異なり、それ以外の処理は図３で説明した各処理と同様である。
【００８５】
図１４において、まず、送信側の映像送受信機器は上述した図１３に示した送信用の画像データ１３３を第一の接続手段３２を介して受信者Ｂの映像送受信機器へ送信する（ステップＳ１４１）。受信者Ｂの映像送受信機器はデータを受信し、前もって受け取っていた受信用キーコードを基にデータの解凍処理を行う（ステップＳ１４５）。
【００８６】
受信者Ｂの映像送受信機器は受信完了したか否かを判断する（ステップＳ１４６）。ステップＳ１４６の判断で全てのデータがそろっていて受信完了であれば、受信者Ｂの映像送受信機器は受信完了通知をし（ステップＳ１４９）、受信処理を終了する。ステップＳ１４６の判断で全てのデータがそろっていない場合は、不足分のデータを送信側へ再度送信するように要求する（ステップＳ１４７）。
【００８７】
送信側の映像送受信機器は、再送信の要求があるか否かを判断する（ステップＳ１４２）。ステップＳ１４２の判断で受信側の映像送受信機器から再送信の要求があれば、不足分の画像データを第一の接続手段３２を介して受信者Ｂの映像送受信機器へ再度送信する（ステップＳ１４３）。
【００８８】
受信側の映像送受信機器は、再度データを受信して、データの解凍処理を行う（ステップＳ１４８）。ステップＳ１４６の判断で最終的に全てのデータが受信されるまでこのステップＳ１４６〜ステップＳ１４８までの判断及び処理を繰り返す。
【００８９】
送信側の映像送受信機器は、ステップＳ１４３で画像データを再度送信したら、受信完了通知があったか否かを判断する（ステップＳ１４４）。受信側の映像送受信機器は、ステップＳ１４６の判断で受信完了した後のステップＳ１４９で受信完了した旨を送信側の映像送受信機器に通知する。
【００９０】
これにより、送信側の映像送受信機器は、ステップＳ１４４の判断で受信完了通知があったので、その受信完了通知を受けて送信処理を終了する。ステップＳ１４４の判断で受信完了通知がなかったときは、ステップＳ１４２へ戻ってステップＳ１４２〜ステップＳ１４４までの判断及び処理を繰り返す。
【００９１】
本実施の形態によれば、映像送受信機器は、身近なそれ自体通信能力は低いが固定した通信回線を利用して、送信時に、直接、送信先の映像送受信機器の高速通信可能なアドレスを入手し、多量の画像データを直接送信先の映像送受信機器に転送する。これにより、映像送受信機器は、サーバー等の特別な設備を用いなくても高画質なままの画像データを、直接、受信者の映像送受信機器に配信することができる。
【００９２】
また、映像送受信機器に使用する固定回線は既に普及しているものであるので、特別な設備投資等の必要もなく、上記画像送受信システムの構築が可能であり、設定操作自体も簡素化することができる。
【００９３】
また、映像送受信機器は、固定回線を使用するために、お互いの映像送受信機器の回線情報を登録しておけば、安価に簡単に相手を特定してインターネットによる高速画像通信を行うことが可能である。
また、映像送受信機器は、固定回線にて、予め送信用のキーコード、受信用のキーコードを交換しておくことで実際のデータ送受信の際の認証を簡単に行うことができる。
【００９４】
また、映像送受信機器は、お互いに固定回線が登録されている相手であれば、データ送信時に高速回線のアドレスを入手することにより、携帯電話などの端末と組み合わせて使用すれば外出先等からでも、画像転送を簡単に行うことができる。例えば、最近ではホテルなどにも高速なインターネット回線が引かれているので、これを利用すれば、映像送受信機器により出先から自宅、知人への画像転送を手軽に行うことができる。
【００９５】
さらに、映像送受信機器は、予め、通信時間の予約をしておくことにより通信の混雑している時期を避けて、通信を行うことが可能である。
また、映像送受信機器は、受信時に使用するキーコードに、送信データ作成時の情報を盛り込んでおくことにより簡単で安価なデータの保護を可能にすることができる。また、映像送受信機器は、受信に失敗した際は、受信できなかったデータのみを再度配信してもらえばよいので、通信回線の負荷も軽減することができる。
【００９６】
なお、本発明は、ここで説明した実施の形態に限定されるものではなく、特許請求の範囲に記載された本発明の要旨を逸脱しない範囲で、種々の変更例を含むものであることは言うまでもない。
【図面の簡単な説明】
【００９７】
【図１】本実施の形態による映像送受信システムの構成を示す図である。
【図２】本実施の形態の映像送受信機器の構成を示すブロック図である。
【図３】画像データの送受信の手順を示すフローチャートである。
【図４】送受信を行う相手機器の登録状態を示す図であり、図４Ａは送受信先アドレス登録部、図４Ｂは送受信先アドレス登録部である。
【図５】送受信用テーブルの設定状態を示す図であり、図５Ａは送受信用テーブル、図５Ｂは送受信用テーブルである。
【図６】他の映像送受信システムの概略構成図である。
【図７】他の映像送受信システムの概略構成図である。
【図８】他の映像送受信システムの概略構成図である。
【図９】他の映像送受信機器の構成を示すブロック図である。
【図１０】他の画像データの送受信の手順を示すフローチャートである。
【図１１】複数の送信先設定時の送受信用テーブルの設定状態を示す図である。
【図１２】他の映像送受信機器の構成を示すブロック図である。
【図１３】送信データ作成及び解凍を説明する図である。
【図１４】他の画像データの送受信の手順を示すフローチャートである。
【符号の説明】
【００９８】
１Ａ、１Ｂ…映像送受信機器、３Ａ、３Ｂ…第一の接続手段、４Ａ、４Ｂ…第二の接続手段、５Ａ、５Ｂ…画像蓄積部、６Ａ、６Ｂ…送受信先アドレス登録部、７Ａ、７Ｂ…アクセス用キーコード発行部、１１…インターネット、１２…電話回線、８…画像入出力部、９…入力キー、１０…表示部、１１Ａ、１１Ｂ…送受信用テーブル、２１…制御部（ＣＰＵ）
【図１】
2007143059.tif 000003
【図２】
2007143059.tif 000004
【図３】
2007143059.tif 000005
【図４】
2007143059.tif 000006
【図５】
2007143059.tif 000007
【図６】
2007143059.tif 000008
【図７】
2007143059.tif 000009
【図８】
2007143059.tif 000010
【図９】
2007143059.tif 000011
【図１０】
2007143059.tif 000012
【図１１】
2007143059.tif 000013
【図１２】
2007143059.tif 000014
【図１３】
2007143059.tif 000015
【図１４】
2007143059.tif 000016